(57)【要約】【課題】空気調和機の本体に内蔵されたフィルタ清掃部のブラシがフィルタの塵埃を清掃する構造とするとともに、フィルタの塵埃を剥がれ易くし、且つ、ごみ収納部内に溜まったごみ清掃時の手間を省くことができ、衛生性を高めた空気調和機を提供する。【解決手段】フィルタ清掃装置１３の第１清掃ブラシ１５および第２清掃ブラシ１８に、マイナスイオンの発生物質であるトルマリン鉱石等を含浸させた素材を使用し、集塵ボックス１３ａ  内にマイナスイオンを発生させるようにしている。【選択図】  図４
2004325047.tif 000002
【特許請求の範囲】
【請求項１】
本体の前面上部に設けられた吸込口と、前面下部に設けられた吹出口とを結ぶ空気通路に、除塵用のフィルタと、熱交換器と、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、これらスライド手段およびブラシを収容する集塵ボックスからなるフィルタ清掃装置とを設けるとともに、
前記集塵ボックス内に、マイナスイオンを発生する手段を備えてなることを特徴とする空気調和機。
【請求項２】
前記ブラシに、マイナスイオンを発生する物質を混入させてなることを特徴とする請求項１に記載の空気調和機。
【請求項３】
前記集塵ボックス内壁に、マイナスイオンを発生する物質を塗布してなることを特徴とする請求項１に記載の空気調和機。
【請求項４】
前記集塵ボックス内に、マイナスイオンを発生する物質を設置してなることを特徴とする請求項１に記載の空気調和機。
【発明の詳細な説明】
【０００１】
【発明の属する技術分野】
本発明は、空気調和機に係わり、より詳細には本体に内蔵されたフィルタ清掃部に備えられたブラシがフィルタの塵埃を清掃する構造において、このフィルタに付着するごみの集塵を容易にするための構造に関する。
【０００２】
【従来の技術】
従来の空気調和機は、例えば本体の前面から上面にかけて設けられた吸込口と本体の下部に設けられた吹出口とを結ぶ空気通路に、フィルタと熱交換器と送風機とフィルタ清掃装置を備えた空気調和機において、フィルタを本体筐体の吸込口の内側に沿って回動させる回動手段と、フィルタ上のごみを除去するごみ除去手段とごみ収納部とから構成されるフィルタ清掃装置を備え、複雑に折れ曲がったフィルタ上のごみを自動的に清掃する機能付きの空気調和機がある（例えば、特許文献１参照。）。
【０００３】
また、特願２００２−１８７７０８に記載されているように、本体内に、フィルタを本体の内外に向けて往復的に移動させるスライド手段と、フィルタの移動経路に沿ってフィルタと接触するように配置されたフィルタ清掃部を設けた構造としたものがある。そしてこのフィルタ清掃部は、フィルタの一方の面を清掃するする第１清掃ブラシを有するボトムカバーと、同ボトムカバーに開閉可能に取付られ、フィルタの他方の面を清掃する第２清掃ブラシを有するトップカバーとを備え、ボトムカバーにごみ収納部を設けた構成となっている。
【０００４】
しかしながら、いずれの従来例においても、フィルタ上に溜まった塵埃をブラシなどで掻き出して除去する構造であり、ごみ収納部内に溜まったごみは静電気によりごみ収納部内壁面に付着し、このごみ収納部内壁面に付着したごみの清掃に手間がかかり、また、手が汚れる恐れのある問題点を有していた。
【０００５】
【特許文献１】
特開２００２−５５０４号公報（第１頁、第１図）
【０００６】
【発明が解決しようとする課題】
本発明においては、上記の問題点に鑑み、空気調和機の本体に内蔵されたフィルタ清掃部のブラシがフィルタの塵埃を清掃する構造とするとともに、フィルタの塵埃を剥がれ易くし、且つ、ごみ収納部内に溜まったごみ清掃時の手間を省くことができ、衛生性を高めた空気調和機を提供することを目的とする。
【０００７】
【課題を解決するための手段】
本発明は、上記問題点を解決するため、本体の前面上部に設けられた吸込口と、前面下部に設けられた吹出口とを結ぶ空気通路に、除塵用のフィルタと、熱交換器と、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、これらスライド手段およびブラシを収容する集塵ボックスからなるフィルタ清掃装置とを設けるとともに、
前記集塵ボックス内に、マイナスイオンを発生する手段を備えた構成となっている。
【０００８】
前記ブラシに、マイナスイオンを発生する物質を混入させた構成となっている。
【０００９】
前記集塵ボックス内壁に、マイナスイオンを発生する物質を塗布した構成となっている。
【００１０】
前記集塵ボックス内に、マイナスイオンを発生する物質を設置した構成となっている。
【００１１】
【発明の実施の形態】
以下、本発明の実施の形態を、添付図面に基づいた実施例として説明する。図１は本発明による空気調和機の概略構成を示す要部断面図であり、図２は本発明による空気調和機のフィルタを本体外に引き出した状態を示す要部断面図であり、図３は本発明によるフィルタ清掃装置を示す要部拡大断面図であり、図４乃至図６は本発明による第一乃至第三の実施例のフィルタを動作させた時の状態を示す要部拡大断面図である。
なお、従来と同じ部分の符号は同一とする。
【００１２】
図１および図２において、１は空気調和機の本体、２は本体１の前面から上面かけて形成された吸込口、３は本体１の下部に形成された吹出口である。吸込口２と吹出口３を結ぶ空気通路４には、空気中の粗ごみを取り除くフィルタ５と送風機６、熱交換器７が配置されている。熱交換器７は、ドレンパン８の上部に配置された略垂直部７ａと、その後方から傾斜させた傾斜部７ｂとより形成されている。
【００１３】
９はベースで、同ベース９の上端側には上面パネル１０が取り付けられ、下端側には前面パネル１１が取り付けられている。同前面パネル１１はベース９の両側板を覆うように形成された左右一対の側板を含み、ベース９に着脱可能に固定されている。前面パネル１１の前面には、フィルタ５が本体１外に引出される際に開閉される開閉パネル１２が一体的に設けられている。
【００１４】
図２で示すように、開閉パネル１２は、上端側を中心に回転可能に軸支されており、フィルタ５の往方向移動時には、他端側がフィルタ５によって持ち上げられ、フィルタ５が本体１外に引出される。フィルタ５は、上面パネル１０の吸込口２と熱交換器７との間に設けられ、熱交換器７に向かう空気中に含まれるごみを除去する。
１３はフィルタ５に付着したごみを清掃するためのフィルタ清掃装置である。
【００１５】
フィルタ清掃装置１３は、図３の要部拡大断面図で示すように、ボトムカバー１７と、トップカバー１９とからなる集塵ボックス１３ａ  を設け、フィルタ５を本体の内外に向けて往復的に移動させるスライド手段１４（駆動モータ）と、フィルタの一方の面（上面）のごみを除去する第１清掃ブラシ１５を有するとともに、除去されたごみを収納するごみ収納部１６を備えたボトムカバー１７と、フィルタの他方の面（下面）のごみを除去する第２清掃ブラシ１８を有するトップカバー１９とから構成されている。
【００１６】
図４は本発明の第一の実施例のフィルタ５を動作させた時の状態を示す要部拡大断面図であり、フィルタ清掃装置１３の第１清掃ブラシ１５および第２清掃ブラシ１８に、マイナスイオンの発生物質であるトルマリン鉱石等を含浸させた素材を使用し、集塵ボックス１３ａ  内にマイナスイオンを発生させるようにしている。
【００１７】
フィルタ清掃装置１３の第１清掃ブラシ１５および第２清掃ブラシ１８に、マイナスイオンの発生物質を含浸させた素材を使用し、集塵ボックス１３ａ  内にマイナスイオンを発生させることにより、フィルタ５を移動させ、ごみを落とすとともに、プラスに帯電しフィルタ５上に付着したごみは、フィルタ５の動きとともに集塵ボックス１３ａ  内に集塵されるが、その際、集塵ボックス１３ａ  内に発生しているマイナスイオンによりごみは中和されフィルタ５より剥がれ易くなる。
【００１８】
また、集塵ボックス１３ａ  内に発生しているマイナスイオンにより、集塵ボックス１３ａ  の内側壁面、特にごみ収納部１６の内側壁面にごみが付着しにくくなり、ごみの集塵が容易となる。
【００１９】
図５は本発明の第二の実施例を示す要部拡大断面図であり、第一の実施例との違いは、マイナスイオンを発生させる手段が異なるもので、集塵ボックス１３ａ  の内側壁面に、マイナスイオンの発生物質を塗布した塗膜部２０を形成し、集塵ボックス１３ａ  内にマイナスイオンを発生させるようにしている。
【００２０】
図６は本発明の第三の実施例を示す要部拡大断面図であり、マイナスイオンを発生させる手段として、集塵ボックス１３ａ  を構成するトップカバー１９の内部に、マイナスイオンの発生物質からなるマイナスイオン発生部材２１を設置し、集塵ボックス１３ａ  内にマイナスイオンを発生させるようにしている。なお、マイナスイオン発生部材２１をボトムカバー１７内に設置してもよい。（図示せず）
【００２１】
上記構成において、集塵ボックス１３ａ  内に、マイナスイオンを発生する手段を備えたことにより、フィルタ５の動きとともに、マイナスイオンによりごみは中和されフィルタ５より剥がれ易くなり、且つ、集塵ボックス１３ａ  の内側壁面、特にごみ収納部１６の内側壁面にごみが付着しにくくなり、このごみ収納部１６内壁面に付着したごみの清掃に手間がかかり、また、手が汚れる恐れのある問題点をなくすことができる。
【００２２】
【発明の効果】
以上説明したように、本発明による空気調和機によれば、空気調和機の本体に内蔵されたフィルタ清掃部のブラシがフィルタの塵埃を清掃する構造とするとともに、フィルタの塵埃を剥がれ易くし、且つ、ごみ収納部内に溜まったごみ清掃時の手間を省くことができ、衛生性を高めた空気調和機となる。
【図面の簡単な説明】
【図１】本発明による空気調和機の概略構成を示す要部断面図である。
【図２】本発明による空気調和機のフィルタを本体外に引き出した状態を示す要部断面図である。
【図３】本発明によるフィルタ清掃装置を示す要部拡大断面図である。
【図４】本発明による第一の実施例のフィルタを動作させた時の状態を示す要部拡大断面図である。
【図５】本発明による第二の実施例のフィルタを動作させた時の状態を示す要部拡大断面図である。
【図６】本発明による第三の実施例のフィルタを動作させた時の状態を示す要部拡大断面図である。
【符号の説明】
１  本体
２  吸込口
３  吹出口
４  空気通路
５  フィルタ
６  送風機
７  熱交換器
８  ドレンパン
９  ベース
１０  上面パネル
１１  前面パネル
１２  開閉パネル
１３  フィルタ清掃装置
１３ａ  集塵ボックス
１４  スライド手段（駆動モ─タ）
１５  第１清掃ブラシ
１６  ごみ収納部
１７  ボトムカバー
１８  第２清掃ブラシ
１９  トップカバー
２０  塗膜部
２１  マイナスイオン発生部材
【図１】
2004325047.tif 000003
【図２】
2004325047.tif 000004
【図３】
2004325047.tif 000005
【図４】
2004325047.tif 000006
【図５】
2004325047.tif 000007
【図６】
2004325047.tif 000008